(57)【要約】      （修正有）【課題】周期的にセンサを介して測定を遂行し、読取り機器が通り過ぎたときに測定値を迅速に送信することができるように低い供給電圧で動作するＲＦＩＤトランスポンダのモジュールを提供する。【解決手段】移動する対象物にトランスポンダに基づくモジュール２を装着する。トランスポンダに基づくモジュールは、トランスポンダに基づくモジュール２にエネルギーを供給するための少なくとも１つのエネルギー源４と、物理的パラメータの測定を遂行するための少なくとも１つのセンサ５と、センサの測定値を処理するための、測定センサ５に連結されたマイクロコントローラ２２とを備える。さらに、センサが遂行した測定の測定データを記憶するためのメモリユニット２１と、近傍にある読取り機器から問合せ信号を受信後、極超短波で、かつ非常に高いビットレートで、記憶された測定データを送信するための送信機２３とを備える。【選択図】図２
2019109883.tif 000002
【特許請求の範囲】
【請求項１】
読取り機器（３、３’）により送信され、トランスポンダに基づくモジュール（２）により受信される問合せ信号に基づき、移動する対象物（１０）に装着されることを意図され、前記読取り機器（３、３’）の近傍で情報を送信するように設計された前記トランスポンダに基づくモジュール（２）であって、
−前記トランスポンダに基づくモジュール（２）の電力供給のためにエネルギーを提供するための少なくとも１つのエネルギー源（４）と、
−少なくとも１つの物理的パラメータの１つまたは複数の測定を遂行するための少なくとも１つのセンサ（５）と、
−前記センサ（５）の１つまたは複数の測定値を受信するために前記センサ（５）に連結されたマイクロコントローラ（２２）と、
−前記センサ（５）により遂行され、かつ記憶するために前記マイクロコントローラ（２２）で処理された、前記１つまたは複数の測定の測定データを少なくとも１つのメモリに記憶するためのメモリユニット（２１）と、
−前記トランスポンダに基づくモジュール（２）が前記読取り機器（３、３’）の近傍に配置されたとき、前記読取り機器（３、３’）から少なくとも１つの問合せ信号を受信するように設計された受信機（２５）と、
−前記読取り機器の前記問合せに基づき、記憶された前記測定データを送信するように設計された送信機（２３）と
を備え、
時間をかけて前記センサ（５）が遂行する前記測定を統制するために、ＲＣタイプまたはリングタイプの発振器である低周波内部発振器により前記マイクロコントローラ（２２）を統制し、これらの測定値を、低電力モードで各測定値の時間の指示付きで前記メモリユニット（２１）に記憶すること、および
前記送信機（２３）は、近傍にある前記読取り機器の前記問合せ信号を前記受信機（２５）が受信した後に活動化されると、極超短波で、かつ非常に高いビットレートで、記憶された前記測定データの信号を送信するように設計されること
を特徴とするトランスポンダに基づくモジュール（２）。
【請求項２】
前記送信機（２３）は、前記受信機が前記読取り機器（３、３’）から前記問合せ信号を受信すると、前記メモリユニット（２１）に記憶された前記測定データをすべて送信することができることを特徴とする、請求項１に記載のトランスポンダに基づくモジュール（２）。
【請求項３】
前記送信機（２３）は、２ＧＨｚよりも大きな、好ましくは５．８ＧＨｚのオーダーの搬送周波数で、前記測定データの前記信号を送信するように設計されることを特徴とする、請求項１または請求項２に記載のトランスポンダに基づくモジュール（２）。
【請求項４】
前記送信機（２３）は、１０Ｍビット／秒よりも大きな、好ましくは２６Ｍビット／秒のオーダーのビットレートで、前記測定データの前記信号を送信するように設計されることを特徴とする、請求項１または請求項２に記載のトランスポンダに基づくモジュール（２）。
【請求項５】
前記送信機（２３）は、ＯＱＰＳＫタイプの位相変調された、前記記憶された測定データを送信することができることを特徴とする、請求項１に記載のトランスポンダに基づくモジュール（２）。
【請求項６】
前記エネルギー源（４）は、太陽電池、または熱電発電器（ｔｈｅｒｍｏｅｌｅｃｔｒｉｃ  ｇｅｎｅｒａｔｏｒ、ＴＥＧ）、または磁気誘導回路、または圧電素子である補助エネルギー源（４）であることを特徴とする、請求項１に記載のトランスポンダに基づくモジュール（２）。
【請求項７】
前記トランスポンダに基づくモジュール（２）に電力を電気的に、かつ連続的に供給するために、蓄積部（２７）またはスーパーキャパシタ素子に電荷を蓄積するように、前記トランスポンダに基づくモジュール（２）のエネルギーの抽出器（２６）に連結された、いくつかの補助エネルギー源（４）を備えることを特徴とする、請求項１に記載のトランスポンダに基づくモジュール（２）。
【請求項８】
前記マイクロコントローラ（２２）を、少なくとも１つの揮発性メモリを備える前記メモリユニット（２１）に、ならびに前記受信機（２５）および前記送信機（２３）に連結して、トランスポンダ回路（２０）を形成することを特徴とする、請求項１に記載のトランスポンダに基づくモジュール（２）。
【請求項９】
各々は、それぞれの物理的パラメータの１つまたは複数の測定を遂行するように設計され、かつ前記メモリユニット（２１）に前記測定データを記憶するために前記マイクロコントローラ（２２）に連結された、いくつかの測定センサ（５）を備えることを特徴とする、請求項１に記載のトランスポンダに基づくモジュール（２）。
【請求項１０】
前記センサ（５）は、前記移動する対象物（１０）を構成する人または動物のバイオリズムの測定を遂行するように設計されることを特徴とする、請求項９に記載のトランスポンダに基づくモジュール（２）。
【請求項１１】
前記センサ（５）は、時間をかけていくつかの測定をそれぞれ遂行するように設計され、前記測定値は、前記メモリユニット（２１）内の規定された場所に記憶されることを特徴とする、請求項９に記載のトランスポンダに基づくモジュール（２）。
【請求項１２】
前記受信機（２５）は、１２５ｋＨｚのオーダーの低周波で、または１３ＭＨｚのオーダーの、もしくは４００ＭＨｚよりも大きな、好ましくは８６８ＭＨｚのオーダーの高周波で、１つまたは複数の信号を受信するように設計されることを特徴とする、請求項１に記載のトランスポンダに基づくモジュール（２）。
【請求項１３】
前記受信機（２５）は、前記トランスポンダに基づくモジュール（２）の近傍で前記読取り機器（３、３’）から発生する問合せ信号および同期信号を受信するように設計されることを特徴とする、請求項１２に記載のトランスポンダに基づくモジュール（２）。
【請求項１４】
前記送信機（２３）は、前記問合せ信号および前記同期信号を受信した直後から、かつ２６ＭＨｚのオーダーの周波数の水晶発振器により統制されている間に、活動化されることを特徴とする、請求項１３に記載のトランスポンダに基づくモジュール（２）。
【請求項１５】
前記メモリユニット（２１）は、揮発性メモリと、不揮発性メモリとを備えること、および供給電圧レベルの関数として、前記マイクロコントローラ（２２）は、前記１つまたは複数のセンサ（５）の前記測定データを、前記供給電圧レベルが、規定されたしきい値よりも大きい場合、前記不揮発性メモリに、前記供給電圧レベルが、前記規定されたしきい値未満である場合、前記揮発性メモリに、記憶することができることを特徴とする、請求項１に記載のトランスポンダに基づくモジュール（２）。
【請求項１６】
請求項１から請求項１５のいずれかに記載のトランスポンダに基づくモジュール（２）の少なくとも１つと、少なくとも１つの読取り機器（３、３’）とを備える、情報伝達のためのシステム（１）であって、前記トランスポンダに基づくモジュール（２）は、近傍にある前記読取り機器から問合せ信号を受信後、極超短波で、かつ非常に高いビットレートで、前記トランスポンダに基づくモジュール（２）のメモリユニット（２１）に記憶された測定データを伝達することができることを特徴とする、情報伝達のためのシステム（１）。
【請求項１７】
情報伝達のためのシステム（１）で、請求項１から請求項１５のいずれかに記載のトランスポンダに基づくモジュール（２）を作動させる方法であって、
−エネルギー源（４）により連続的に電力を供給される、前記トランスポンダに基づくモジュール（２）のマイクロコントローラ（２２）により制御されている間に、１つまたは複数のセンサ（５）を介して、時間をかけていくつかの測定を遂行するステップと、
−前記マイクロコントローラ（２２）により処理された測定データをすべて、低電力モードで各測定時間の指示付きでメモリユニット（２１）に記憶するステップと、
−前記トランスポンダに基づくモジュール（２）が前記読取り機器（３、３’）の近傍に配置されたとき、前記トランスポンダに基づくモジュール（２）の受信機（２５）を介して前記読取り機器（３、３’）から問合せ信号を受信するステップと、
−前記問合せ信号を受信した直後から、通信状態にある前記読取り機器（３、３’）に、非常に高いビットレートで、記憶された前記測定データを送信するために、極超短波で送信機（２３）を完全に活動化するステップと
を備えるトランスポンダに基づくモジュール（２）を作動させる方法。
【請求項１８】
前記トランスポンダに基づくモジュール（２）の前記受信機（２５）は、前記マイクロコントローラ（２２）と前記記憶された測定データを同期させるために、近傍にある前記読取り機器（３、３’）から問合せ信号および同期信号を受信することを特徴とする、請求項１７に記載のトランスポンダに基づくモジュール（２）を作動させる方法。
【請求項１９】
前記送信機（２３）は、通信状態にある前記読取り機器に１秒未満の時間で、非常に高いビットレートで前記測定データをすべて送信すると、非活動化され、読取り機器（３、３’）の次の問合せまで、アイドルモードに推移することを特徴とする、請求項１７に記載のトランスポンダに基づくモジュール（２）を作動させる方法。
【発明の詳細な説明】
【技術分野】
【０００１】
本発明は、読取り機器に情報を伝達するための、パッシブ型であっても、セミパッシブ型であってもよい、ＲＦＩＤトランスポンダに基づくモジュールに関する。
【０００２】
本発明はまた、ＲＦＩＤトランスポンダに基づくモジュールを用いて情報を伝達するためのシステムに関する。
【０００３】
本発明はまた、読取り機器に情報を送信するために、ＲＦＩＤトランスポンダに基づくモジュールを作動させる方法に関する。
【背景技術】
【０００４】
情報を送信するために、通常、詳細には近距離接続（ｎｅａｒ−ｆｉｅｌｄ  ｃｏｎｎｅｃｔｉｏｎ、ＮＦＣ）またはＢｌｕｅｔｏｏｔｈ（登録商標）接続を介して、トランスポンダとリーダの間でＲＦＩＤ通信を使用する。最初に、パッシブ型であってもよいトランスポンダは、リーダ問合せ信号により覚醒し、トランスポンダ内の整流器により、受信信号から前記トランスポンダの動作用供給電圧を取り出すことが可能になる。一般に、トランスポンダは、覚醒すると、たとえば、トランスポンダの識別番号、またはトランスポンダが置かれている製品もしくは対象物の識別情報である不変の情報項目を送信することができる。したがって、この不変の情報項目は、通信状態にあるＲＦＩＤリーダのリクエストに対してトランスポンダにより送信される。
【０００５】
通例のＲＦＩＤトランスポンダでは、データまたは不変の情報項目の送信は、数１００ｋビット／秒のオーダーの平均ビットレートで達成される。これには、かなり長いデータ送信を必要とし、したがって、比較的かなり大きな電力消費を必要とする。このために、原理上は、トランスポンダ回路に接続された外部補助供給源から取り出されたエネルギーだけを使用して、すべてのデータを送信するまで十分な電力供給を可能にすることができない。したがって、欠点を生じさせる。
【０００６】
Ｂｌｕｅｔｏｏｔｈを介した接続の場合、最初にリーダとの同期を遂行する。また、複雑で、電流を大量に消費する、扱いにくい通信プロトコルを使用する。したがって、外部エネルギー源からエネルギーを抽出することにより電力を供給されるパッシブ型またはセミパッシブ型のトランスポンダについては、Ｂｌｕｅｔｏｏｔｈを介してそのような通信を使用することは考えられず、したがって、欠点を生じさせる。
【０００７】
トランスポンダまたは携帯型ＲＦＩＤ機器は、動いている対象物、または人もしくは動物に装着することができる。トランスポンダは、対象物の、または人もしくは動物の、さまざまな物理的パラメータの測定を遂行するためのセンサを備えることができる。これらの測定値を、遠隔処理、または測定値を使用するために、リーダまたは基地局に送信することができる。しかしながら、大量の電力を過度に消費することなく、遂行された測定値を送信することができるように、十分なエネルギー源を介してトランスポンダまたは携帯型ＲＦＩＤ機器に電力を供給しなければならず、これを、トランスポンダまたは従来技術の携帯型機器を介して行うことは困難である。
【０００８】
さまざまなセンサを備えつけるパッチの形をとる携帯型機器について記述する特許出願国際公開第２０１２／１２５４２５（Ａ１）号パンフレットを引用することができる。この携帯型機器を人に装着して、いくつかのセンサを用いて、人のさまざまな生理学的パラメータ（バイオリズム）を決定することができる。たとえば健康診断のために人に装着された携帯型機器により遂行された測定値を管理する処理ステーションに、遂行された測定値を記憶および送信することができる。携帯型機器は、センサを介してさまざまな測定値を得るために必要な電力供給を提供するための電池を備える。しかしながら、この携帯型機器は、供給電池なしに動作することができず、電池の電力消費は、周期的に測定を遂行するためには、および記憶した情報を処理ステーションに迅速に送信することができるためには、低減されず、その結果、欠点を生じさせる。
【先行技術文献】
【特許文献】
【０００９】
【特許文献１】国際公開第２０１２／１２５４２５（Ａ１）号パンフレット
【発明の概要】
【発明が解決しようとする課題】
【００１０】
したがって、本発明の目的は、従来技術の上述の欠点を軽減し、周期的に少なくとも１つのセンサを介して測定を遂行し、かつ読取り機器が通り過ぎたときに測定値を迅速に送信することができるように低い供給電圧で動作する、読取り機器に情報を伝達するためのＲＦＩＤトランスポンダに基づくモジュールを提供することである。
【課題を解決するための手段】
【００１１】
この目的のために、本発明は、独立請求項１に言及する特性を備える、情報を伝達するためのＲＦＩＤトランスポンダに基づくモジュールに関する。
【００１２】
ＲＦＩＤトランスポンダに基づくモジュールの詳細な形態を、従属請求項２〜５に規定する。
【００１３】
本発明による、トランスポンダに基づくモジュールの利点は、トランスポンダに基づくモジュールが、少なくとも１つのセンサを介して、好ましくは一定数のセンサを介して、測定を遂行するために部分的に動作することができるようになるように、補助エネルギー源からエネルギーを抽出することにより、トランスポンダに基づくモジュールに電力を供給することができるという事実にある。したがって、トランスポンダに基づくモジュールは、少なくとも１つの揮発性メモリを有するメモリに測定結果を記憶するために、連続的に電力を供給されたままで、センサを介して測定を遂行することができる。センサは、ＲＣ型またはリング型の発振器などの、低い電力消費の発振器により統制することができるマイクロコントローラに連結される。
【００１４】
近傍にあるリーダとの通信を確立することができるとすぐに、少なくともこの瞬間の直後から、かつ非常に短い時間で活動化された送信機が、測定データをすべて非常に高いビットレートで送信することができる。測定データ送信動作を統制する、またはクロック制御するために、ＲＦＩＤ読取り機器から発生する問合せ信号および／または同期信号を受信すると、送信機の発振器を覚醒させることができる。記憶した測定データをすべて送信するとすぐに、送信機は、再度アイドルモードになることができる。
【００１５】
この目的のために、本発明はまた、独立請求項１６に言及する特性を備える情報伝達システムに関する。
【００１６】
この目的のために、本発明はまた、独立請求項１７に言及する特性を備える、情報伝達システム内の、トランスポンダに基づくモジュールを作動させる方法に関する。
【００１７】
方法の詳細なステップを、従属請求項１８および１９で規定する。
【００１８】
情報を伝達するためのＲＦＩＤトランスポンダに基づくモジュール、それを備える通信システム、およびＲＦＩＤトランスポンダに基づくモジュールを作動させる方法の、目的、利点、および特性は、図面により例示する少なくとも１つの限定しない実行形態に基づき以下の記述で、より明らかになるであろう。
【図面の簡単な説明】
【００１９】
【図１】本発明による、トランスポンダに基づくモジュールの情報を近傍にある読取り機器に高ビットレートで伝達するために、少なくとも１つのトランスポンダに基づくモジュール、および１つまたは複数の読取り機器を伴う情報伝達システムの簡易図である。
【図２】本発明による、１つまたは複数の測定センサ、およびＲＦＩＤトランスポンダに基づくモジュールに電力を供給するための１つまたは複数のエネルギー供給源を伴う、ＲＦＩＤトランスポンダに基づくモジュールの電子的構成要素の簡易構成図を表す。
【発明を実施するための形態】
【００２０】
以下の記述では、近傍にある少なくとも１つの読取り機器に情報を伝達するための、ＲＦＩＤトランスポンダに基づくモジュールの、およびそれを備えるデータ通信システムの、当業者に周知の電子的構成要素について、もっぱら簡易化した手法で記述する。
【００２１】
図１は、データまたはコマンドを伝達するためのシステム１を表す。システム１は主に、人もしくは動物、または任意のタイプの車両などの移動する対象物１０に装着させることができる少なくとも１つのトランスポンダに基づくモジュール２と、規定されたゾーンにわたり異なる位置に配置された１つまたは複数の読取り機器３、３’とを備える。読取り機器３、３’の位置を、公共の場所内のサイト、住宅内のサイト、小売店内のサイト、遊歩道上のサイト、都市ゾーン内のサイトとすることができる、または多様な他のサイトにあるとすることができる。
【００２２】
たとえば人または動物１０に装着されたトランスポンダに基づくモジュール２は、パッシブ型またはセミパッシブ型とすることができる。図１に提示する実行形態によれば、トランスポンダに基づくモジュール２は、そのベアラにパーソナライズすることができるトランスポンダ回路２０と、トランスポンダ回路２０の少なくとも１つの電力供給源４と、少なくとも１つの測定センサ５とを備える。
【００２３】
電力供給源４は、好ましくは、太陽電池、ゼーベック（Ｓｅｅｂｅｃｋ）発電器としても公知の熱電発電器（ｔｈｅｒｍｏｅｌｅｃｔｒｉｃ  ｇｅｎｅｒａｔｏｒ、ＴＥＧ）、磁気誘導回路、圧電素子、または任意選択で小型電池であってもよい、補助エネルギー源である。トランスポンダ回路２０に電圧を供給することができるように、電荷蓄積部を充電するために、トランスポンダ回路２０によりバックアップエネルギー源または補助エネルギー源からエネルギーの抽出を遂行することができる。いくつかの補助エネルギー源４の組合せを使用して、トランスポンダ回路に給電することができる。
【００２４】
好ましくは、トランスポンダに基づくモジュール２は、トランスポンダ回路２０に連結された１組のセンサ５を備えることができる。さまざまなセンサ５を使用して、少なくとも、決定された期間にわたり、人または動物１０の物理的パラメータ（バイオリズム）を測定することが考えられる。１組のセンサ５は、用途に応じて、温度センサ、圧力センサ、パルスメータ、磁気センサ、加速度計、ジャイロスコープ、光センサ、または他のタイプのセンサを備えることができる。センサが遂行した測定値を、図２を参照して本明細書で以後説明するように、サンプリングまたはＡＤ変換の後に、少なくとも１つのメモリに、少なくとも一時的に記憶することができる。
【００２５】
１つまたは複数の補助エネルギー源４を用いて、トランスポンダ回路２０およびセンサ５の電子的構成要素の主要な部分は、その電力消費が大きく低減されるので、連続的に動作することができる。一方、トランスポンダに基づくモジュール２がたとえば５０ｃｍ未満まで読取り機器３に接近するとき、この読取り機器３は、少なくとも１つのアンテナ１１を介して、トランスポンダに基づくモジュール２に、たとえば８６８ＭＨｚのオーダーの搬送周波数で、問合せ信号および／または同期信号を送信する。この効果は、前記トランスポンダに基づくモジュール２の電子的構成要素すべてを完全に活動化することである。この完全に活動化した状態で、トランスポンダに基づくモジュール２は、問合せを受けて、アンテナ１２を介して、読取り機器３に向けられたＵＨＦ送信機を介して、記憶された測定データの大部分を送信することができ、読取り機器３は、アンテナ１１を介してこれらの測定データを受信する。好ましくは、トランスポンダ回路２０に関係づけられたセンサ５が遂行した測定値の全部を、非常に高いビットレートで、たとえば、２６Ｍビット／秒のオーダーのビットレートで、かつ５．８ＧＨｚのオーダーの極超短波で送信する。
【００２６】
非常に高いビットレートおよび極めて高い送信周波数で送信することにより、センサ５から生じる、記憶された測定値を、１秒未満の非常に短時間で、前記トランスポンダに基づくモジュール２が高い電力消費を必要とせずに、非常に迅速に送信することができることが留意される。測定データをすべて送信すると、トランスポンダ回路２０の送信機は、読取り機器３、３’からの新しい問合せの前に、アイドルモードに推移することができる。
【００２７】
そのようなトランスポンダに基づくモジュール２を使用して、センサが遂行する測定値が連続的に変化する、人または動物１０（移動する対象物）のバイオリズムを監視することができる。読取り機器３を、たとえば、家の一部に、または庭に、または動物が猫である場合にはキャットフラップにもまた配置して、動作中に記憶されたセンサの測定値をすべて取り出すことができる。センサによる測定を低電圧および低い電力消費で行うことができるので、トランスポンダに基づくモジュール２は、トランスポンダ回路２０のこの部分に関して連続的に活動化したままでいる。前記モジュールの送信機は、たとえばキャットフラップ内の猫など、人または動物が通過するとき、読取り機器３による問合せの前に、依然としてアイドルである。測定データすべてを管理するために、ケーブルにより、または無線で、コンピュータなどの中央ユニットに各読取り機器３、３’を依然として連結することができる。
【００２８】
図２は、ＲＦＩＤトランスポンダに基づくモジュール２の動作手法をよりよく理解するために、ＲＦＩＤトランスポンダに基づくモジュール２の電子的構成要素をより詳細に表す。
【００２９】
トランスポンダに基づくモジュール２は、一般にトランスポンダ回路２０と、少なくとも１つの測定センサ５および好ましくは１組の測定センサ５と、トランスポンダ回路２０、およびトランスポンダに基づくモジュール２の他の部分に電力を供給するためにエネルギーを抽出することができる補助エネルギー源４とすることができる１つまたは複数のエネルギー源とを備える。
【００３０】
センサ、またはｎ個のセンサ＿１〜センサ＿ｎを、ＲＣ型発振器またはリング発振器などの低電力消費発振器から発生する低周波クロックにより統制されることが好ましいマイクロコントローラ２２に連結する。メモリユニット２１内の規定された場所に記憶するために、センサが遂行した測定値を、マイクロコントローラ内で、デジタル方式で変換する。変換された測定データを、原理上はＳＲＡＭタイプの揮発性メモリに記憶し、これは、このタイプのメモリに記憶するために低い電力消費を必要とするためである。しかしながら、供給電圧のレベルが十分である場合、これらの測定データを、情報を記憶するためにより大きな電力消費を必要とするフラッシュメモリなどの不揮発性メモリに記憶することもまた考えられる。これらの条件の下で、測定データを記憶することができるメモリのタイプを知るために、供給電圧のレベルをマイクロコントローラ内で検出することが用意されてもよい。規定された電圧しきい値以下であれば、測定データを揮発性メモリに記憶することができ、その一方で、この電圧しきい値を超える場合、測定データを不揮発性メモリＮＶＭに記憶することができる。
【００３１】
本明細書で上記に示すように、いくつかの補助エネルギー源４、または実際には小型電池もまた用意されてもよい。トランスポンダ回路２０でダイオードにより表される周知の抽出器２６により、これらのエネルギー源からエネルギーを抽出する。トランスポンダ回路２０に供給電圧を提供することが可能になるように、抽出器の出力にある蓄積部（コンデンサ）２７を充電する。しかしながらさらにまた、たとえば、モータの振動、または永続的に照明される格納庫のように、補助エネルギー源が永続的に存在する場合、蓄積部の代わりに、スーパーキャパシタ素子を必然的に伴ってもよい。
【００３２】
トランスポンダに基づくモジュール２は、問合せを受けて読取り機器３から発生する高周波信号ＳRを第１のアンテナ１２’を介して受信するために、ＨＦ高周波信号受信機２５とすることができる受信機２５をさらに備える。取り出した信号を整流するために、さらにはトランスポンダに基づくモジュール２の電力供給のためのエネルギーを提供することができるようにするために、ＨＦ信号受信機２５内に存在することができる、提示されていない従来の整流器が想定される。高周波信号は、４００ＭＨｚよりも大きな、たとえば、４３４ＭＨｚ、８６８ＭＨｚ、または９１６ＭＨｚ、好ましくは８６８ＭＨｚの搬送周波数の信号とすることができる。ＨＦ受信機２５は、部分的にアイドルのままでいる、または信号変換前に永続的に活動化された一定の受信部分を有することができる。受信機のこれらの活動化された部分は、受信信号の変換を遂行していない限り、非常に小さな電流しか消費しない。
【００３３】
トランスポンダに基づくモジュール２は、活動化されたとき、第２のアンテナ１２を介して極超短波信号ＳTを送信するための送信機２３をさらに備える。この送信機２３は、たとえば２６ＭＨｚのオーダーの発振周波数とすることができる自身の水晶発振器２４により統制される。受信機２５が問合せ信号を受信するとすぐに、送信機２３の発振器２４および従来の周波数合成器を併用して、第１のアンテナ１２’が取り出した信号の変換を遂行することができる。
【００３４】
トランスポンダに基づくモジュール２のウェイクアップおよび信号受信のために、受信機２５は、１２５ｋＨｚのオーダーの低周波で、または１３ＭＨｚ（ＮＦＣ）のオーダーの、もしくは４００ＭＨｚよりも大きな、たとえば８６８ＭＨｚの高周波で、信号を取り出すことができてもよい。マイクロコントローラ２２のＲＣ発振器に基づき、信号の変換を遂行する。これらの条件の下で、受信機は永続的に活動化されたままでいることができる。
【００３５】
光信号、赤外線信号、超音波信号、または他の信号を受信することによるなど、任意の他の手段により、トランスポンダに基づくモジュール２のウェイクアップを遂行することもまた考えられる。
【００３６】
移動する対象物が身につけたトランスポンダに基づくモジュール２が、たとえばただＮＦＣ近距離通信のためのように読取り機器から短距離まで接近すると、読取り機器は、トランスポンダに基づくモジュール２に問合せ信号および／または同期信号を送信し、トランスポンダに基づくモジュール２は、その信号を近傍で検出する。この瞬間から、トランスポンダに基づくモジュール２は、極超短波で、たとえば、２ＧＨｚを超える、好ましくは５．８ＧＨｚのオーダーの搬送周波数で、データ信号ＳTを送信することができるようにするために、自身の発振器２４を用いて受信機２５および送信機２３を完全に活動化することができる。送信機が活動化するとすぐに、メモリユニット２１に記憶され、マイクロコントローラ２２のＲＣ発振器により統制された測定データはすべて送信され、送信機は、読取り機器の近傍にあるおかげで、低電力でデータを送信することができる。測定データを位相変調（ＯＱＰＳＫ）し、非常に高いビットレートで、たとえば２６Ｍビット／秒のオーダーのビットレートで、送信することができる。
【００３７】
各トランスポンダに基づくモジュールは、たとえば、それを身につけている人または動物に関してパーソナライズされた識別番号を備えるので、１つの同じ読取り機器の近傍でいくつかのトランスポンダに基づくモジュールの照会を許可することができる。１つの同じ読取り機器の近傍で活動化された送信機それぞれが送信する測定データは、衝突する危険がない。
【００３８】
トランスポンダに基づくモジュール２を動作させるために使用する供給電圧は、好ましくは少なくとも１つの補助エネルギー源４から抽出している間、３Ｖ未満、たとえば０．６Ｖのオーダーとすることができる。読取り機器との通信が遂行されると、トランスポンダに基づくモジュール２に電力をさらにまた供給するために、受信中に取り出された信号のエネルギーを、整流器を介して得ることができる。
【００３９】
読取り機器に情報を送信するためにＲＦＩＤトランスポンダに基づくモジュール２を作動させる方法によれば、トランスポンダに基づくモジュール２のマイクロコントローラ２２のコマンドで、１つまたは複数のセンサ５を介して時間をかけていくつかの測定を遂行することが用意される。少なくともマイクロコントローラ２２およびセンサ５を、各測定の時間の間、周期的に活動化し、かつ残りの時間の間、エネルギーを抽出し、蓄積部２７で電荷を蓄積した後に、少なくとも補助エネルギー源４により、または小型電池により、電力を供給することにより、低消費電力モードで活動化することができる。マイクロコントローラ２２の低周波発振器により統制されている間、センサ５が遂行したさまざまな測定値を、メモリユニット２１の揮発性メモリまたは不揮発メモリにデジタル方式で、測定時間の指示付きで記憶する。また、マイクロコントローラ２２が測定値をメモリユニットに記録する前に、測定値の前処理を遂行することもまた可能であってもよい。
【００４０】
移動する対象物が保持するトランスポンダに基づくモジュール２が読取り機器から、規定された短い検出距離まで接近するとすぐに、読取り機器は、問合せ信号および／または同期信号を送信し、この信号をトランスポンダに基づくモジュール２のトランスポンダ回路２０の受信機２５の第１のアンテナ１２’が拾い上げる。この瞬間から、トランスポンダ回路２０の同期を達成することができ、受信機および送信機の完全な活動化が達成される。記憶された測定データは、活動化されたＵＨＦ送信機２３の第２のアンテナ１２により、たとえば１０Ｍビット／秒よりも大きな、好ましくは２６Ｍビット／秒のオーダーの、非常に高いビットレートで、完全に送信されることが好ましい。しかしながら、第１のアンテナおよび第２のアンテナはまた、ただ１つだけのデュアル・バンド・アンテナを構成してもよい。たとえば、トランスポンダ回路２０の同期を考慮することにより、各測定値の期間の指示付きで測定データをすべて送信すると、少なくとも送信機２３、または実際には受信機２５の一部は、非活動化される。送信機２３および受信機２５は、トランスポンダに基づくモジュール２が読取り機器に再度接近したとき、読取り機器の新しい問合せの瞬間まで、アイドルモードになったままでいる。
【００４１】
トランスポンダに基づくモジュール２が送信する測定データはすべて、健康診断（バイオリズム）のために、またはトランスポンダに基づくモジュール２を身につけている人もしくは動物の移動性の傾向を追跡するために、処理ステーションで役立つ可能性があることに留意されたい。
【００４２】
当業者は、特許請求の範囲が規定する本発明の範囲を逸脱することなく、今述べた記述に基づき、トランスポンダに基づくモジュールおよびそれを備える通信システムの変形実施形態をいくつか考案することができる。
【符号の説明】
【００４３】
１  システム
２  トランスポンダに基づくモジュール
３、３’  読取り機器
４  電力供給源、補助エネルギー源
５  測定センサ
１０  移動する対象物
１１  アンテナ
１２  アンテナ、第２のアンテナ
１２’  第１のアンテナ
２０  トランスポンダ回路
２１  メモリユニット
２２  マイクロコントローラ
２３  送信機
２４  水晶発振器
２５  受信機
２６  抽出器
２７  蓄積部
ＳR  高周波信号
ＳT  データ信号
センサ＿１〜センサ＿ｎ  センサ
【図１】
2019109883.tif 000003
【図２】
2019109883.tif 000004